(57)【要約】【課題】容易な構成で、発熱体の形状に応じて、当該発熱体を効果的に放熱すること。【解決手段】分配器１０には、前面の左側面寄りの一部および左側面の前面寄りの一部の２辺と、これらの２辺を分配器１０自身の中央部寄りに平行的に変形させた位置の２辺とを輪郭とする略方形の切り欠き部ＮＴが形成される。そして、分配器１０が、穴ＨＬ１〜ＨＬ５が設けられたベース基板ＢＢの、当該穴ＨＬ１〜ＨＬ５と切り欠き部ＮＴによる投影領域が重畳する位置に固定されたり、分配器１０自身の筐体外郭の形状に沿うような外形形状を有するベース基板ＢＢの、当該外形形状と切り欠き部ＮＴによる投影領域の外枠とが略一致する位置に固定されたりして、切り欠き部ＮＴ付近での空気の流れによる、分配器１０の特に中央部付近の内部の熱に対する放熱構造部が形成される。【選択図】  図１
2011034991.tif 000002
【特許請求の範囲】
【請求項１】
信号を入力または出力する第１の端子部と、当該第１の端子部により入力または出力される信号を分配または混合して複数に出力または入力する第２の端子部とを具備する電子回路モジュールを、ベースとなる基板に取り付けてなる電子回路モジュールの放熱構造であって、
前記電子回路モジュールは凸部を有する形状であって、前記第２の端子部が備えられたベース直方体部と、前記第１の端子部が備えられ当該ベース直方体部と連続して形成されて前記凸部となる凸直方体部と、を具備し、
前記基板は、前記凸直方体部の近傍の位置に通風孔が設けられる、
ことを特徴とする電子回路モジュールの放熱構造。
【請求項２】
前記通風孔は、前記基板の外形の端部近傍に複数設けられたこと、または、前記凸直方体部及び／または前記ベース直方体部の形状に沿った輪郭を有することを特徴とする請求項１記載の電子回路モジュールの放熱構造。
【請求項３】
前記電子回路モジュールは、放送波の信号または無線通信の信号に係る、分配器、分波器または混合器であることを特徴とする請求項１または請求項２記載の電子回路モジュールの放熱構造。
【請求項４】
前記電子回路モジュールは、前記通風孔に対応する面に放熱フィンまたはスリットが設けられることを特徴とする請求項１または請求項２記載の電子回路モジュールの放熱構造。
【請求項５】
前記電子回路モジュールの上方に配置される上方基板と、
前記基板の下方に配置される下方基板と、
を具備することを特徴とする請求項１または請求項２記載の電子回路モジュールの放熱構造。
【発明の詳細な説明】
【技術分野】
【０００１】
本発明は、電子回路モジュールを効果的に放熱するための電子回路モジュールの放熱構造に関する。
【背景技術】
【０００２】
近年、テレビジョン受像器などの電子機器に搭載される放送波チューナや無線通信回路等の電子回路モジュールは、多様化する多数の放送方式や通信方式に対応するために、高速処理化や高機能化，小型化の傾向での技術開発がなされている。
【０００３】
しかし、扱われるデータの転送レートの向上などによる高速処理化や高機能化に伴って内部の発熱量がますます増加し、また、電子回路モジュール自身または電子機器の小型化に伴ってますます放熱効率が悪くなる。このため、電子回路モジュールを効率よく放熱する手法に対しての期待はますます高まっている。
【０００４】
例えば、特許文献１には、基板上の発熱体の周辺に設けた通気孔を利用して発熱体を放熱する手法が開示されている。
また、特許文献２には、パワー回路部と制御回路部とを有する回路基板が組み込まれた電気接続箱において、これらの回路の間に、貫通穴と、この貫通穴の周囲の隔壁とからなる通気路としての空間を設け、パワー回路部と制御回路部との遮熱効果を高める手法が公開されている。
【先行技術文献】
【特許文献】
【０００５】
【特許文献１】特許第２９６１８５８号公報  （第１図  ３頁右段落）
【特許文献２】特開２００１−０９５１３１号公報  （図１  段落０００９）
【発明の概要】
【発明が解決しようとする課題】
【０００６】
しかし、特許文献１による手法は、通気孔を発熱体の周囲の基板上に無作為に設けていたために、複数の課題を残していた。例えば、発熱体と通気孔の距離が近い場合、基板の配線等を利用した発熱体の放熱効果が通気孔によって阻害される可能性や、発熱体が複数の端子を有する半導体であったときに、この複数の端子からの基板上の配線レイアウトが通気孔によって困難になる可能性があった。また逆に、発熱体と通気孔の距離が離れている場合、通気孔による放熱の効果があまり得られない可能性があった。
【０００７】
さらに、この手法では、発熱体の形状に応じた、発熱体の中央部付近の熱の放熱特性の変化はあまり考慮されていない。
例えば、発熱体が、近年、広く普及している、複数の放送波チューナを搭載した放送波受信機器の、アンテナによって受信された放送波信号を入力する信号入力部における、複数のチューナに対する複数の出力端子を備えた分配器といった電子回路モジュールである例を考える。放送波信号の分配器は、ＲＦ信号などの高周波信号の端子出力を複数に分配する増幅回路部などの発熱部を有する電子回路モジュールである。しかし、放送波信号の分配器は、複数の出力端子を備えるために自身の外形形状が大きくなり、前述の手法では中央部付近の内部の熱が放熱されづらかった。
【０００８】
また、特許文献２による手法は、パワー回路部と制御回路部とが明確に領域が区分けされた回路レイアウトでの適用を前提とした手法であった。すなわち、パワー回路部が制御回路部内に混在して配置されて、それぞれの回路部が明確に区分けされていない回路レイアウトでの適用は考慮されていなかった。
【０００９】
また、パワー回路部と制御回路部との遮熱効果を高めるために、これらの回路部の間に通気路を設ける構成であったので、例えば、パワー回路部の回路面積が広い場合には、特許文献１と同様に、パワー回路部の中央部付近の内部の熱が放熱されづらかった。
【００１０】
すなわち、従来から開示されていた発熱体の放熱の手法では、容易な構成で、発熱体の形状に応じて、当該発熱体、特に当該発熱体の略中央部、を効果的に放熱することは困難であった。
【００１１】
そこで、本発明は上述した課題を解決するために、容易な構成で、発熱体の形状に応じて、当該発熱体、特に当該発熱体の略中央部、を効果的に放熱することができる電子回路モジュールの放熱構造を提供することを目的とする。
【課題を解決するための手段】
【００１２】
本発明は上述した課題を解決するため、信号を入力または出力する第１の端子部と、当該第１の端子部により入力または出力される信号を分配または混合して複数に出力または入力する第２の端子部とを具備する電子回路モジュールを、ベースとなる基板に取り付けてなる電子回路モジュールの放熱構造であって、前記電子回路モジュールは凸部を有する形状であって、前記第２の端子部が備えられたベース直方体部と、前記第１の端子部が備えられ当該ベース直方体部と連続して形成されて前記凸部となる凸直方体部と、を具備し、前記基板は、前記凸直方体部の近傍の位置に通風孔が設けられる、ことを特徴とするものである。
【発明の効果】
【００１３】
本発明によれば、容易な構成で、当該発熱体を効果的に放熱することができる。
【図面の簡単な説明】
【００１４】
【図１】電子回路モジュールである分配器の外形を５つの面方向から視た５面視図。
【図２】従来構造の分配器の形状を説明するための、上面から視た平面図。
【図３】図１で説明した分配器をベース基板の所定の位置に固定したときの放熱構造を説明するための、この固定の状態を３つの面方向から視た３面視図。
【図４】図１で説明した分配器をベース基板の所定の位置に固定したときの放熱構造の変形例を説明するために、この固定の状態を上面から視た平面図。
【図５】図４に示した放熱構造の変形例による分配器周辺での空気の流れを概念的に示す概念図。
【図６】分配器の一部に形成する切り欠き部の形状の変形例、および、この変形例による放熱構造を示す平面図。
【図７】分配器の一部に形成する切り欠き部の形状の他の変形例、および、この変形例による放熱構造を示す平面図。
【発明を実施するための形態】
【００１５】
以下、本発明における実施形態について複数の図面を用いて説明する。
まずは、本発明における実施形態に係る電子回路モジュールである分配器の構造について、図１を用いて説明する。
図１は、電子回路モジュールである分配器の外形を５つの面方向から視た５面視図である。
なお、本実施形態は、本発明に係る構成を適用した電子回路モジュールを、放送波に係る入力信号を分配して複数の出力端子に出力する分配器とした形態であるが、本実施形態と同様の構造の、放送波に係る信号や無線通信に係る信号などの高周波信号に係る分波器や分岐器、混合器などとした形態であっても構わない。
【００１６】
なお、本実施形態では、図1（a）上面視図に係る面を上面、入力ジャックＪ１が設けられている面を前面、前面から向かって右側の面を右側面、左側の面を左側面、前面と対向する面を背面、また上面と対向する面を底面として定義する。
【００１７】
図１（ａ）上面視図に示すように、分配器１０には、第１の端子部である入力ジャックＪ１、第２の端子部である出力ジャックＪ１１〜Ｊ１６、スタンドＳＴ１〜ＳＴ４それぞれが、特定の面に設けられている。また分配器１０は、ケースＣＳにより外郭が形成されている。さらに、分配器１０と隣接して、前面の左側面寄りの一部および左側面の前面寄りの一部の２辺と、これらの２辺を分配器１０自身の中央部寄りに平行的に変形させた位置の２辺とを輪郭とする略方形の切り欠き部ＮＴがある。
【００１８】
すなわち、切り欠き部ＮＴは、分配器１０の前面、背面、左側面、右側面、上面、底面の６つの面からなる架空の略直方体の外形が、分配器１０の実際の外形となるように切り欠く空間であって、前面、左側面、上面、底面それぞれの一部を含む略直方体の空間である。そして、この切り欠き部ＮＴにより、分配器１０は８つの面を備える略逆Ｌ字型の立体形状となっている。なお、図示しないが、入力ジャックＪ１が右側面側でなく左側面側に設けられる実施形態であってもよく、この場合、切り欠き部ＮＴは前面および右側面寄りに形成され、分配器１０は略Ｌ字型の立体形状となる。
【００１９】
入力ジャックＪ１は、アンテナにより受信された放送波信号が入力される入力端子である。
出力ジャックＪ１１〜Ｊ１６は、入力ジャックＪ１から入力された放送波に係る信号を、分配回路に係る配線（不図示）により、６つに分配して出力するための出力端子である。
【００２０】
スタンドＳＴ１〜ＳＴ４は、分配器１０を所定の位置に固定するためのスタンドである。
ケースＣＳは、分配器１０の外郭を形成するための筐体であり、通熱性や通電性を有する材料の物質で組成されている。
すなわち、入力ジャックＪ１と複数の出力ジャックＪ１１〜Ｊ１６とは、ケースＣＳによる外郭の内部に配置される回路基板（不図示）上に設けられ、信号の分配回路に係る配線（不図示）で接続されているが、この回路基板（不図示）の形態は、本発明の特徴的な構成ではないので詳細な説明は省略する。
【００２１】
つまり、図１（ｂ）前面視図では、分配器１０の前面には入力ジャックＪ１が右側面寄りに設けられている状態が示されている。また、前面の右側面寄りの一部、および、切り欠き部ＮＴによる前面に対して中央部寄りに位置する面の２つの面による外郭が、ケースＣＳで形成されている状態が示されている。さらに、スタンドＳＴ１，ＳＴ２，ＳＴ４が底面に設けられていることが視認される。
【００２２】
また図１（ｃ）右側面視図では、入力ジャックＪ１、出力ジャックＪ１６、ケースＣＳによる外郭、スタンドＳＴ１，ＳＴ３が視認される。
さらに図１（ｄ）左側面視図では、入力ジャックＪ１、出力ジャックＪ１１、左側面の背面寄りの一部、および、切り欠き部ＮＴによる左側面に対して中央部寄りに位置する面の２つの面による、ケースＣＳで形成された外郭、スタンドＳＴ２，ＳＴ４が視認される。
【００２３】
同様に図１（ｅ）背面視図では、出力ジャックＪ１１〜Ｊ１６、ケースＣＳによる外郭、スタンドＳＴ２，ＳＴ３，ＳＴ４が視認される。
すなわち、分配器１０は、図１（ａ）上面視図および底面視図（不図示）において、凸部を有する形状である。さらに具体的には、分配器１０は、出力ジャックＪ１１〜Ｊ１６が備えられた背面側の略６面体（ベース直方体部）と、この背面側の略６面体と連続して形成されて凸部となり、入力ジャックＪ１が備えられた前面側の略６面体（凸直方体部）と、で構成されている。
【００２４】
なお、切り欠き部ＮＴによる、前面に対して中央部寄りに位置する面、および、左側面に対して中央部寄りに位置する面には、放熱フィンやスリットなどの放熱構造が形成される形態であってもよい。
【００２５】
すなわち、分配器１０は、本来は略直方体である６面からなる外郭に対して、切り欠き部ＮＴにより、側面として中央部寄りに新たな２面を形成した、略Ｌ字型の立法体形状の筐体による構造である。
【００２６】
次に、従来構造の分配器の形状について、図２を用いて説明する。図２は、従来構造の分配器の形状を説明するための、上面から視た平面図である。
図２（ａ）は、入力された信号を分配して２つの出力端子から出力する分配器２０の上面視図であって、図１で示した分配器１０と同様に、入力ジャックＪ２、出力ジャックＪ２１，Ｊ２２、スタンドＳＴ２１〜ＳＴ２４それぞれが、特定の面に設けられ、ケースＣＳにより６面からなる略直方体の外郭が形成されている。
【００２７】
図２（ｂ）は、入力された信号を分配して６つの出力端子から出力する分配器２００の上面視図であって、図１で示した分配器１０や図２（ａ）に示した分配器２０と同様に、入力ジャックＪ３、出力ジャックＪ２２１〜Ｊ２２６、スタンドＳＴ２２１〜ＳＴ２２４それぞれが、特定の面に設けられ、ケースＣＳにより略６面からなる直方体の外郭が分配器２０と同様に形成されている。
【００２８】
なお、図２（ａ）に示した分配器２０は１入力に対して２出力の構成であるため、分配器２０自身の外郭の面から中央部までの距離が近く、分配器２０自身の内部の回路基板から発せされた熱が外郭の面から充分に放熱され易い形状であるといえる。一方、図２（ｂ）に示した分配器２００は１入力に対して６出力の構成であるので、分配器２００自身の外郭の面から中央部までの距離が遠くなり、分配器２００自身の内部の回路基板から発せされた熱が外郭の面から充分に放熱されずに、中央部に篭りやすい形状である。
【００２９】
また、同一数の出力端子を備えた、図２（ｂ）に示した分配器２００の形状と図１に示した本実施形態に係る分配器１０の形状とを比較すると、（分配器の側面表面積／分配器内部の回路基板（上面視の）面積）によって算出される、回路面積あたりの筐体側面表面積の比率が、従来構造の分配器２００よりも、本発明に係る分配器１０のほうが高くなる。
【００３０】
すなわち、図１に示した本発明に係る実施形態における電子回路モジュールは、当該電子回路モジュール内部の回路基板（不図示）の面積を小さくし、さらに当該電子回路モジュール自身の中央部付近に新たな外殻の面を形成しているので、図２（ｂ）に示した分配器２００と比較して、発熱体の形状に応じて、特に中央部付近の内部の熱の放熱性に優れていることが明らかである。
【００３１】
次に、図３を用いて、図１で説明した分配器１０をベース基板ＢＢの所定の位置に固定したときの放熱構造を説明する。
図３は、図１で説明した分配器１０をベース基板ＢＢの所定の位置に固定したときの放熱構造を説明するための、この固定の状態を３つの面方向から視た３面視図である。
【００３２】
図３（ａ）上面視図に示すように、分配器１０は、外形線ＯＬの輪郭を有するベース基板ＢＢと所定の位置関係で取り付けられる。さらに、ベース基板ＢＢの外形の端部近傍には、分配器１０の凸直方体部やベース直方体部の近傍の位置に対応するように、切り欠き部ＮＴに対応する投影領域に、通風孔である複数の穴ＨＬ１〜ＨＬ５が設けられる。なお、分配器１０の前面とベース基板ＢＢの外形線ＯＬとは平行の関係にあり、且つ略同一面上の関係にあるが、この形状に限定されるものではない。
【００３３】
また、図３（ｂ）前面視図および図３（ｃ）右側面視図に示すように、分配器１０は、ベース基板ＢＢに対してスタンドＳＴ１〜ＳＴ４により、底面から所定の距離Ｈを隔てて固定される。
【００３４】
なお、ベース基板ＢＢは、所定の回路配線を形成したプリント配線基板や、金属や樹脂などで成形された固定ボードなどを適用することが可能であり、特定の形態に限定されるものではない。
【００３５】
また、分配器１０の底面とベース基板ＢＢとの所定の距離Ｈは、スタンドＳＴ１〜ＳＴ４の構造や固定方法により決定され、特定の範囲に限定されるものではない。
すなわち、図３に示した３面視図では、分配器１０が、凸直方体部やベース直方体部の近傍の位置に対応するように穴ＨＬ１〜ＨＬ５が設けられたベース基板ＢＢの、当該穴ＨＬ１〜ＨＬ５と切り欠き部ＮＴによる投影領域とが重畳する位置に固定された、穴ＨＬ１〜ＨＬ５への空気の流れによる、分配器１０の特に中央部付近の内部の熱に対する放熱構造が形成されていることが明示されている。
【００３６】
次に図４により、図１で説明した分配器１０をベース基板ＢＢの所定の位置に固定したときの放熱構造の変形例を説明する。
図４は、図１で説明した分配器１０をベース基板ＢＢの所定の位置に固定したときの放熱構造の変形例を説明するために、この固定の状態を上面から視た平面図である。
【００３７】
分配器１０は、外形線ＯＬの輪郭を有するベース基板ＢＢと所定の位置関係で固定される。なお、図４に示した平面図においては、ベース基板ＢＢの外形線ＯＬは、分配器１０の前面および切り欠き部ＮＴに対応する筐体外郭の投影領域の外枠に沿った輪郭となっている。換言すると、ベース基板ＢＢの外形線ＯＬを輪郭とし、凸直方体部やベース直方体部の形状に沿った輪郭を有する通風孔が形成されている。
【００３８】
また、本変形例において形成される、ベース基板ＢＢの外形線ＯＬを輪郭とする通風孔による空間を利用した、入力ジャックＪ１と同じ方向に配置されるように複数の接続ジャックが実装された配線基板などをレイアウトする形態が実施可能となる。なお、この複数の接続ジャックが実装された配線基板は、ベース基板ＢＢの外形線ＯＬを輪郭とする通風孔を完全に塞がないようにレイアウトされる必要があることは言うまでもない。
【００３９】
すなわち、図４に示した放熱構造の変形例では、分配器１０が、分配器１０自身の筐体外郭の形状に沿うような外形形状を有するベース基板ＢＢの、当該外形形状と切り欠き部ＮＴによる投影領域の外枠とが略一致する位置に固定された、切り欠き部ＮＴ付近での空気の流れによる、分配器１０の特に中央部付近の内部の熱に対する放熱構造部が形成されていることが明示されている。
【００４０】
次に、図５を用いて、図４に示した放熱構造の変形例による分配器１０周辺での空気の流れを説明する。
図５は、図４に示した放熱構造の変形例による分配器１０周辺での空気の流れを概念的に示す概念図である。
具体的には、図５（ａ）では、図４に示した放熱構造の変形例が適用され、この放熱構造に対して、分配器１０の上面方向に上方板ＵＢがレイアウトされ、分配器１０の底面方向に下方板ＬＢがレイアウトされた構造となっていて、さらにこの構造に対して、太点線で示した分配器１０の上部の空気の流れと、太実線で示したベース基板ＢＢの下部の空気の流れとが、分配器１０の右側面から左側面の方向にある概念図を示している。
【００４１】
図５（ａ）に示すように、分配器１０の切り欠き部ＮＴと、この切り欠き部ＮＴに対応して形成されたベース基板ＢＢの輪郭とに係る空間では、太実線および太点線で示した分配器１０の上下の空気の流れが入り混じる。すなわち、この空間によって、分配器１０の内部の熱を、分配器１０自身の側面から効率よく放熱する放熱構造が形成される。
【００４２】
一方、図５（ｂ）では、分配器１０の切り欠き部ＮＴに対応する部分を残した輪郭のベース基板ＢＢに分配器１０が固定され、分配器１０の上面方向に上方板ＵＢがレイアウトされ、分配器１０の底面方向に下方板ＬＢがレイアウトされた構造の概念図を示している。
【００４３】
この例では、太実線で示したベース基板ＢＢの下部の空気の流れは、ベース基板ＢＢの上部に固定されている分配器１０の側面ではなくベース基板ＢＢの下側を通過するので、分配器１０の切り欠き部ＮＴ近傍には、太点線で示した分配器１０の上部の空気の流れのみとなる。
【００４４】
したがって、切り欠き部ＮＴを設けた分配器１０と、この切り欠き部ＮＴに対応して形成された輪郭のベース基板ＢＢとを組み合わせた放熱構造のほうが、分配器１０の側面の空気の流れが増すので、分配器１０の内部の熱を、分配器１０自身の側面から効率よく放熱することができる。
【００４５】
（変形例１）
次に、図６を用いて、分配器の一部に形成する切り欠き部の形状の変形例の一例と、この変形例による放熱構造を説明する。
図６は、分配器の一部に形成する切り欠き部の形状の変形例、および、この変形例による放熱構造を示す平面図である。
図６（ａ）は、分配器６０の上面視図であって、第１の端子部である入力ジャックＪ６、第２の端子部である出力ジャックＪ６１〜Ｊ６６、スタンドＳＴ６１〜ＳＴ６４それぞれが、特定の面に設けられ、ケースＣＳにより外郭が形成されている。
【００４６】
さらに、分配器６０と隣接して、前面の左側面寄りの一部および左側面の前面寄りの一部の２辺と、これらの２辺を分配器６０自身の中央部寄りに平行的に変形させた位置の２辺とを輪郭とする略方形の切り欠き部ＮＴ６１、および、前面の左側面寄りの一部および右側面の前面寄りの一部の２辺と、これらの２辺を分配器６０自身の中央部寄りに平行的に変形させた位置の２辺とを輪郭とする略方形の切り欠き部ＮＴ６２がある。
【００４７】
すなわち、切り欠き部ＮＴ６１は、前面、背面、左側面、右側面、上面、底面の６つの面からなる架空の略直方体の外形が、分配器６０の実際の外形となるように切り欠く空間であって、前面、左側面、上面、底面それぞれの一部を含む略直方体の空間である。また、切り欠き部ＮＴ６２は、前面、背面、左側面、右側面、上面、底面の６つの面からなる架空の略直方体の外形が、分配器６０の実際の外形となるように切り欠く空間であって、前面、右側面、上面、底面それぞれの一部を含む略直方体の空間である。
【００４８】
また、分配器６０は、図６（ａ）上面視図および底面視図（不図示）において、凸部を有する形状である。さらに具体的には、分配器６０は、出力ジャックＪ６１〜Ｊ６６が備えられた背面側の略６面体（ベース直方体部）と、この背面側の略６面体と連続して形成されて凸部となり、入力ジャックＪ６が備えられた前面側の略６面体（凸直方体部）と、で構成されている。
【００４９】
なお、分配器６０は、２つの略直方体の切り欠き部ＮＴ６１，６２により１０の面を備える略凸型の立体形状となっていて、この構造により分配器６０自身の内部の熱を効果的に放熱する。また、分配器６０は、ベース基板ＢＢの所定の位置に固定されることで、さらに効果的な放熱構造を形成する。
【００５０】
例えば、図６（ｂ）の上面視図に示すように、分配器６０が、外形線ＯＬの輪郭を有するベース基板ＢＢと所定の位置関係で固定された具体例を説明する。この具体例では、ベース基板ＢＢの外形の端部近傍には、分配器６０の凸直方体部やベース直方体部の近傍の位置に対応するように、切り欠き部ＮＴ６１の領域に対応する投影領域に、通風孔である複数の穴ＨＬ６１〜ＨＬ６３が設けられる。また、切り欠き部ＮＴ６２の領域に対応する投影領域には、分配器６０の凸直方体部やベース直方体部の近傍の位置に対応するように、通風孔である複数の穴ＨＬ６４〜ＨＬ６６が設けられる。なお、分配器６０の前面とベース基板ＢＢの外形線ＯＬは、平行の関係にあり且つ略同一面上の関係にある。そして、穴ＨＬ６１〜ＨＬ６６での空気の流れによる、分配器６０の特に中央部付近の内部の熱に対する効果的な放熱構造が形成される。
【００５１】
さらに、図６（ｃ）の上面視図に示すように、分配器６０が、図６（ｂ）とは異なる外形線ＯＬの輪郭を有するベース基板ＢＢと所定の位置関係で固定された具体例を説明する。この具体例では、ベース基板ＢＢの外形線ＯＬは、分配器６０の前面および切り欠き部ＮＴ６１，６２に対応する筐体外郭の投影領域の外枠に沿った輪郭となっている。換言すると、ベース基板ＢＢの外形線ＯＬを輪郭とし、凸直方体部やベース直方体部の形状に沿った輪郭を有する通風孔が形成されている。そして、切り欠き部ＮＴ６１，６２付近での空気の流れによる、分配器６０の特に中央部付近の内部の熱に対する効果的な放熱構造が形成される。
【００５２】
また、本変形例において形成される、ベース基板ＢＢの外形線ＯＬを輪郭とする通風孔による空間を利用し、入力ジャックＪ１と同じ方向に配置されるように複数の接続ジャックが実装された配線基板などを、当該通風孔を完全に塞がないようにレイアウトする形態も実施可能である。
【００５３】
すなわち、切り欠き部ＮＴによる切り欠き形状の分配器６０が、切り欠き部ＮＴによる投影領域内に複数の穴ＨＬ６１〜ＨＬ６６が設けられたベース基板ＢＢ、または、切り欠き部ＮＴによる投影領域の外枠と略一致する外形形状を有するベース基板ＢＢに固定されることで、切り欠き部ＮＴ付近での空気の流れによる、分配器６０の特に中央部付近の内部の熱に対する効果的な放熱構造部が形成される。
【００５４】
（変形例２）
さらに、図７を用いて、分配器の一部に形成する切り欠き部の形状の他の変形例と、この変形例による放熱構造を説明する。
図７は、分配器の一部に形成する切り欠き部の形状の変形例、および、この変形例による放熱構造を示す平面図である。
図７（ａ）は、分配器７０の上面視図であって、第１の端子部である入力ジャックＪ７、第２の端子部である出力ジャックＪ７１〜Ｊ７６、スタンドＳＴ７１〜ＳＴ７４それぞれが、特定の面に設けられ、ケースＣＳにより外郭が形成されている。
【００５５】
さらに、分配器７０と隣接して、前面の左側面寄りの一部および左側面の前面寄りの一部の２辺と、これらの２辺が交わらない他方の点同士を略直線で結んだ辺とを輪郭とする略三角形の切り欠き部ＮＴ７１、および、前面の左側面寄りの一部および右側面の前面寄りの一部の２辺と、これらの２辺が交わらない他方の点同士を略直線で結んだ辺とを輪郭とする略三角形の切り欠き部ＮＴ７２がある。
【００５６】
すなわち、切り欠き部ＮＴ７１は、前面、背面、左側面、右側面、上面、底面の６つの面からなる架空の略直方体の外形が、分配器７０の実際の外形となるように切り欠く空間であって、前面、左側面、上面、底面それぞれの一部を含む三角形の略５面体の空間である。また、切り欠き部ＮＴ７２は、前面、背面、左側面、右側面、上面、底面の６つの面からなる架空の６面体の外形が、分配器７０の実際の外形となるように切り欠く空間であって、前面、右側面、上面、底面それぞれの一部を含む三角形の略５面体の空間である。
【００５７】
また、分配器７０は、図７（ａ）上面視図および底面視図（不図示）において、凸部を有する形状である。さらに具体的には、分配器７０は、出力ジャックＪ７１〜Ｊ７６が備えられた背面側の略６面体（ベース直方体部）と、この背面側の略６面体と連続して形成されて凸部となり、入力ジャックＪ７が備えられた前面側の台形の略６面体（凸直方体部）と、で構成されている。
【００５８】
また、分配器７０は、２つの三角形の略５面体の切り欠き部ＮＴ７１，７２により、８つの面を備える立体形状となっていて、この構造により分配器７０自身の内部の熱を効果的に放熱する。また、分配器７０は、ベース基板ＢＢの所定の位置に固定されてさらに効果的な放熱構造を形成する。
【００５９】
例えば、図７（ｂ）の上面視図に示すように、分配器７０が、外形線ＯＬの輪郭を有するベース基板ＢＢと所定の位置関係で固定された具体例を説明する。この具体例では、ベース基板ＢＢの外形の端部近傍には、分配器７０の凸直方体部やベース直方体部の近傍の位置に対応するように、切り欠き部ＮＴ７１の領域に対応する投影領域に、通風孔である複数の穴ＨＬ７１〜ＨＬ７２が設けられる。また、切り欠き部ＮＴ７２の領域に対応する投影領域には、分配器７０の凸直方体部やベース直方体部の近傍の位置に対応するように、通風孔である複数の穴ＨＬ７３〜ＨＬ７４が設けられる。なお、分配器７０の前面とベース基板ＢＢの外形線ＯＬは、平行の関係にあり且つ略同一面上の関係にある。そして、穴ＨＬ７１〜ＨＬ７４での空気の流れによる、分配器７０の特に中央部付近の内部の熱に対する効果的な放熱構造が形成される。
【００６０】
さらに、図７（ｃ）の上面視図に示すように、分配器７０が、図７（ｂ）とは異なる外形線ＯＬの輪郭を有するベース基板ＢＢと所定の位置関係で固定された具体例を説明する。この具体例では、ベース基板ＢＢの外形線ＯＬは、分配器７０の前面および切り欠き部ＮＴ７１，７２に対応する筐体外郭の投影領域の外枠に沿った輪郭となっている。換言すると、ベース基板ＢＢの外形線ＯＬを輪郭とし、凸直方体部やベース直方体部の形状に沿った輪郭を有する通風孔が形成されている。そして、切り欠き部ＮＴ７１，７２付近での空気の流れによる、分配器７０の特に中央部付近の内部の熱に対する効果的な放熱構造が形成される。
【００６１】
また、本変形例において形成される、ベース基板ＢＢの外形線ＯＬを輪郭とする通風孔による空間を利用し、入力ジャックＪ１と同じ方向に配置されるように複数の接続ジャックが実装された配線基板などを、当該通風孔を完全に塞がないようにレイアウトする形態も実施可能である。
【００６２】
すなわち、切り欠き部ＮＴによる切り欠き形状の分配器７０が、切り欠き部ＮＴによる投影領域内に複数の穴ＨＬ７１〜ＨＬ７４が設けられたベース基板ＢＢ、または、切り欠き部ＮＴによる投影領域の外枠と略一致する外形形状を有するベース基板ＢＢに固定されることで、切り欠き部ＮＴ付近での空気の流れによる、分配器７０の特に中央部付近の内部の熱に対する効果的な放熱構造部が形成される。
【００６３】
以上説明したように本実施形態によれば、分配器自身の中央部付近への切り欠き部を形成された分配器を、当該切り欠き部による投影領域内に複数の穴が設けられたベース基板、または、切り欠き部による投影領域の外枠と略一致する外形形状を有するベース基板に固定することで、切り欠き部付近での空気の流れによる、分配器の特に中央部付近の内部の熱に対する効果的な放熱構造部が形成される。
【００６４】
また本発明は、上述した実施形態に限定されるものではなく、本発明の要旨を変えない範囲において、種々の変更、改変等が可能である。
【符号の説明】
【００６５】
１０，６０，７０…分配器、Ｊ１，Ｊ６，Ｊ７…入力ジャック、Ｊ１１〜Ｊ１６，Ｊ６１〜Ｊ６６，Ｊ７１〜Ｊ７６…出力ジャック、ＳＴ１〜ＳＴ４，ＳＴ６１〜Ｓ６４，ＳＴ７１〜ＳＴ７４…スタンド、ＮＴ，ＮＴ６１，ＮＴ６２，ＮＴ７１，ＮＴ７２…切り欠き部、ＢＢ…ベース基板、ＯＬ…外形線、ＣＳ…ケース。
【図１】
2011034991.tif 000003
【図２】
2011034991.tif 000004
【図３】
2011034991.tif 000005
【図４】
2011034991.tif 000006
【図５】
2011034991.tif 000007
【図６】
2011034991.tif 000008
【図７】
2011034991.tif 000009